(57)【特許請求の範囲】
【請求項１】
円筒状に形成されたグリップ筐体を備え、前記グリップ筐体の一端側でマイクロホンユニットを支持し、他端側に前記マイクロホンユニットとリード線を介して接続されるプラグアセンブリが装着されていて、前記グリップ筐体内に前記マイクロホンユニットの音響回路の一部として含まれる空気室が設けられている単一指向性ダイナミックマイクロホンであって、
前記グリップ筐体は、前記グリップ筐体の前記他端側から挿入された前記プラグアセンブリの嵌合部と、この嵌合部よりもさらに前記他端寄りに拡径部が形成され、
前記嵌合部に嵌合された前記プラグアセンブリは、前記拡径部に嵌め込まれた厚さ方向にも半径方向にも伸縮可能な弾性リングと、前記弾性リングよりも前記グリップ筐体の前記他端側において前記拡径部に嵌め込まれた押さえリングとにより前記グリップ筐体内に固定され、
前記弾性リングは前記グリップ筐体と前記プラグアセンブリとの間を密閉していることを特徴とする単一指向性ダイナミックマイクロホン。
【請求項２】
前記押さえリングがＣリングである請求項１記載の単一指向性ダイナミックマイクロホン。
【請求項３】
前記押さえリングは線ばねからなる請求項１記載の単一指向性ダイナミックマイクロホン。
【請求項４】
前記押さえリングは、波打ち状に折り曲げた線ばねがリング状に形成されたものである請求項３記載の単一指向性ダイナミックマイクロホン。
【請求項５】
前記押さえリングは、半径方向に伸縮可能であり、拡径方向の弾力によりグリップ筐体の拡径部に係合している請求項１乃至４の何れかに記載の単一指向性ダイナミックマイクロホン。
【請求項６】
前記弾性リングはスポンジ状の素材からなる請求項１乃至５の何れかに記載の単一指向性ダイナミックマイクロホン。
【発明の詳細な説明】
【技術分野】
【０００１】
本発明は、グリップ筐体の内部全体を空気室にすることで低音においても無指向性成分を充分に得ることができるとともに、マイクロホン後端部から容易にマイクロホンコネクタを引き出して交換することのできる単一指向性ダイナミックマイクロホンに関するものである。
【背景技術】
【０００２】
特許文献１に記載されているように、単一指向性ダイナミック（動電型）マイクロホンの周波数特性を決める要因のひとつに空気室がある。ボーカル用などの手持ちマイクロホンにおいては、通常、上記空気室は円筒状に形成されたグリップ筐体内に設けられる。その一例を図６に示す。
【０００３】
手持ち式の単一指向性ダイナミックマイクロホンにおいては、例えばダイカスト製で円筒状に形成されたグリップ筐体１０を備え、その一端側でマイクロホンユニット２０が支持される。図示しないが、マイクロホンユニット２０内にはボイスコイルが取り付けられた振動板と、磁気ギャップを有する磁気発生回路とが組み込まれており、その磁気ギャップ内にボイスコイルが振動板を介して振動可能に配置されている。
【０００４】
単一指向性であることから、マイクロホンユニット２０は前方音響端子２０ａと後方音響端子２０ｂを備えている。マイクロホンユニット２０はその後端側が連結リング１１内に気密的に差し込まれた状態で同連結リング１１を介してグリップ筐体１０の一端側に取り付けられるが、その際ハンドリングノイズを低減させるため連結リング１１とグリップ筐体１０との間にはゴム弾性を有するショックマウント部材１２が介装される。なお、参照符号１３は押さえリングを示す。
【０００５】
グリップ筐体１０の他端側にはコネクタ収納部１４が一体に形成されており、コネクタ収納部１４内に出力コネクタであるプラグアセンブリ３０が装着されている。マイクロホンユニット２０とプラグアセンブリ３０は図示しないリード線によって接続される。グリップ筐体１０内は空洞でマイクロホンユニット２０の空気室１０ａとして作用する。
【０００６】
低域の音質を改善するには空気室１０ａの容積は大きい方が好ましいが、いずれにしても良好な指向性を得るには外部から空気室１０ａ内に空気が入り込まないようにする必要がある。そのため、従来ではマイクロホンユニット２０とプラグアセンブリ３０とを図示しないリード線によって接続したのち、グリップ筐体１０内に例えばシリコンシーラントなどの封止材１５にてプラグアセンブリ３０側を封止するようにしている。ダイナミックマイクロホンの組立時やプラグアセンブリ３０の交換時には、プラグアセンブリ３０はグリップ筐体１０の一端側からグリップ筐体１０内に出し入れされる。
【０００７】
グリップ筐体内に空気室が設けられたダイナミックマイクロホンの別の態様として、特許文献２に記載されているように、マイクロホンユニット後部に専用の空気室部品が連続して設けられているものがある。
【０００８】
この単一指向性ダイナミックマイクロホンは、図７に示すように、グリップ筐体１００、キャビティスリーブ２００、ダイナミックマイクロホンユニット２０およびプラグアセンブリ３０を備えている。
【０００９】
マイクロホンユニット２０は単一指向性であることから前方音響端子２０ａと後方音響端子２０ｂとを備え、また、図示しないがダイナミック型であることからその内部にはボイスコイルが取り付けられた振動板と磁気ギャップを有する磁気発生回路とが含まれており、その磁気ギャップ内にボイスコイルが振動板を介して振動可能に配置されている。
【００１０】
プラグアセンブリ３０は、電気絶縁体からなる円柱状の基台３１に接地用の１番ピン（作図上図示省略）、信号のホット側として用いられる２番ピン３２、信号のコールド側として用いられる３番ピン３３の３本のピンが貫設されている３ピンタイプのコネクタとなっている。なお、このコネクタには３本のピンのほかに、基台３１の半径方向に出没可能な雄ねじ３４とその雌ねじ孔を有する接地用端子板３５とが設けられており、接地用端子板３５は図示しない接続金具などにより上記の接地用の１番ピンと電気的に導通されている。
【００１１】
上述したマイクロホンユニット２０とプラグアセンブリ３０は、それぞれキャビティスリーブ２００に取り付けられる。キャビティスリーブ２００はダイカスト製で円筒状に形成され、その空洞の内部がマイクロホンユニット２０の音響回路の一部として含まれる空気室２０１として利用される。マイクロホンユニット２０はその後端部をキャビティスリーブ２００の一端側（前端側）に差し込むことによりキャビティスリーブ２００に支持される。なお、プラグアセンブリ３０は、キャビティスリーブ２００に取り付けられているが、ダイナミックマイクロホンの組立時や交換時には、グリップ筐体１０の上記一端側、すなわち、マイクロホンユニット２０が支持される側からキャビティスリーブ２００とともに、グリップ筐体１０内に出し入れされることになる。この態様のダイナミックマイクロホンでは、キャビティスリーブ２００内部が空気室として機能するが、グリップ筐体内全体が空気室として機能しないため、空気室の容積が制限される。
【００１２】
グリップ筐体内に空気室が設けられたダイナミックマイクロホンの更に別の態様として、グリップ筐体のコネクタ取付け部に傾斜面が設けられるとともに、コネクタにリング状の弾性体が取り付けられたものがある。このダイナミックマイクロホンは、組み立てられるとリング状の弾性体が傾斜面に接合し、グリップ筐体内が密閉される。このようなダイナミックマイクロホンにおいても、プラグアセンブリは、ダイナミックマイクロホンの組立時や交換時には、グリップ筐体の上記一端側、すなわち、マイクロホンユニットが支持される側から、グリップ筐体内に出し入れされることになる。
【先行技術文献】
【特許文献】
【００１３】
【特許文献１】特開平０５−０４９０９０号公報
【特許文献２】特開２００５−２７７６５２号公報
【発明の概要】
【発明が解決しようとする課題】
【００１４】
ところで、ダイナミックマイクロホンの後端部に設けられている３ピンのプラグアセンブリは、マイクロホンコードを頻繁に着脱する部分であることから摩耗しやすく、交換修理を容易に行えることが好ましい。
【００１５】
しかし、上述したいずれのダイナミックマイクロホンにおいても、プラグアセンブリはグリップ筐体の一端側、すなわち、マイクロホンユニットが支持される側から出し入れする必要がある。この場合、プラグアセンブリを出し入れするためには、グリップ筐体内にある他の全ての部品とともに出し入れする必要が生じ、作業が煩雑なものとなってしまう。
【００１６】
本発明は、上記課題に鑑みてなされたものであって、ダイナミックマイクロホンを組み立てたときにはグリップ筐体内部全体を空気室とすることができ、良好な気密状態を保つことができるとともに、プラグアセンブリをグリップ筐体の後端側、すなわちマイクロホンユニットが支持されている側とは反対側から取り出すことができ、交換修理時の作業性に優れた単一指向性ダイナミックマイクロホンを提供することを目的とする。
【課題を解決するための手段】
【００１７】
本発明は、円筒状に形成されたグリップ筐体を備え、グリップ筐体の一端側でマイクロホンユニットを支持し、他端側にマイクロホンユニットとリード線を介して接続されるプラグアセンブリが装着されていて、グリップ筐体内にマイクロホンユニットの音響回路の一部として含まれる空気室が設けられている単一指向性ダイナミックマイクロホンであって、グリップ筐体は、グリップ筐体の他端側から挿入されたプラグアセンブリの嵌合部と、この嵌合部よりもさらに他端寄りに拡径部が形成され、嵌合部に嵌合されたプラグアセンブリは、拡径部に嵌め込まれた厚さ方向にも半径方向にも伸縮可能な弾性リングと、弾性リングよりもグリップ筐体の他端側において拡径部に嵌め込まれた押さえリングとによりグリップ筐体内に固定され、弾性リングはグリップ筐体とプラグアセンブリとの間を密閉していることを最も主要な特徴とする。
【発明の効果】
【００１８】
本発明によれば、ダイナミックマイクロホンを組み立てたときにはグリップ筐体内部全体が空気室とすることができ、良好な気密状態を保つことができるとともに、プラグアセンブリをグリップ筐体の後端側から取り出すことができ、交換修理時の作業性に優れた単一指向性ダイナミックマイクロホンを提供することができる。
【図面の簡単な説明】
【００１９】
【図１】本発明に係る単一指向性ダイナミックマイクロホンの実施例を示すもので、（ａ）は主要部の分解縦断面図、（ｂ）は上記実施例中の押さえリングの正面図である。
【図２】図１の単一指向性ダイナミックマイクロホンが組み立てられた様子を示すもので、（ａ）は主要部の縦断面図、（Ｂ）は底面図である。
【図３】図２の単一指向性ダイナミックマイクロホンにコードプラグが差し込まれる様子を示す部分断面図である。
【図４】図２の単一指向性ダイナミックマイクロホンにコードプラグが差し込まれた状態を示す部分断面図である。
【図５】押さえリングとして用いられる線ばねの変形例を示す正面図である。
【図６】従来の単一指向性ダイナミックマイクロホンの例を示す縦断面図である。
【図７】従来の単一指向性ダイナミックマイクロホンの更に別の例を示す縦断面図である。
【発明を実施するための形態】
【００２０】
以下、本発明に係る単一指向性ダイナミックマイクロホンの実施例について、図を用いて説明する。
【００２１】
本発明に係る単一指向性ダイナミックマイクロホンは、その先端側、すなわちダイナミックマイクロホンユニットが設けられている側の構成は任意であり、例えば、上述した従来のダイナミックマイクロホンと同様の構成であってもよい。そのため、以下、他端側の構成を中心に説明をする。
【００２２】
図１および図２に示すように、単一指向性ダイナミックマイクロホン１は、グリップ筐体２の一端側にマイクロホンユニット（不図示）が設けられているとともに、他端側に上記マイクロホンユニットとリード線（不図示）を介して接続されるプラグアセンブリ３が装着されている。
【００２３】
マイクロホンユニットは上述した従来例と同様に単一指向性であり、前方音響端子と後方音響端子とを備えている。また、図示しないがダイナミック型であることからその内部にはボイスコイルが取り付けられた振動板と磁気ギャップを有する磁気発生回路とが含まれており、その磁気ギャップ内にボイスコイルが振動板を介して振動可能に配置されている。
【００２４】
グリップ筐体２は、ダイカスト製で円筒状に形成され、内部が空洞となっている。この内部の空洞は、単一指向性マイクロホンユニットの空気室として作用する。マイクロホンユニットは、グリップ筐体１０の一端側に取り付けられていて、後方音響端子がグリップ筐体１０内の空気室に連結している。
【００２５】
グリップ筐体２の他端側の内壁部には、プラグアセンブリ３を挿入可能な径となっている嵌合部６と、この嵌合部６よりもさらに他端寄りに、嵌合部６よりも径の大きな拡径部７が形成されている。グリップ筐体２の他端側から挿入されたプラグアセンブリ３は、グリップ筐体２の他端側から挿入されるようになっていて、グリップ筐体２の内周に設けられている段部に突き当てられている。
【００２６】
プラグアセンブリ３は、電気絶縁体からなる円柱状の基台３８に接地用の１番ピン（作図上図示省略）、信号のホット側として用いられる２番ピン、信号のコールド側として用いられる３番ピンの３本のピン３６が貫設されている３ピンタイプのコネクタとなっている。なお、このコネクタには３本のピン３６のほかに、シールド板３７が基台３８の内方の面に沿って設けられており、シールド板３７は図示しない接続金具などにより接地用の１番ピンと電気的に導通されている。
【００２７】
単一指向性ダイナミックマイクロホン１の組立時には、プラグアセンブリ３は、グリップ筐体２の他端側から、拡径部７を経て嵌合部６へと挿入される。嵌合部６へと挿入されたプラグアセンブリ３は、嵌合部６の奥に形成された段部８に当接することで、グリップ筐体２の長手方向への位置決めがされる。なお、プラグアセンブリ３の嵌合部６への挿入の際には、プラグアセンブリ３の凸部３９がグリップ筐体２の内壁に形成された溝９に嵌合しつつプラグアセンブリ３が挿入されることで、プラグアセンブリ３の回転方向の位置決めがされる。
【００２８】
次に、弾性リング４と押さえリング５とが、この順に他端側の開口部６１から拡径部７へと挿入されることで、嵌合部６へと挿入されたプラグアセンブリ３が固定される。弾性リング４と押さえリング５は、嵌合部６の内径よりも大きく、拡径部７の内径よりも小さな直径を有するリング状の部材である。
【００２９】
弾性リング４は独立気泡スポンジ等の弾性を有する素材からなり、厚さ方向にも半径方向にも伸縮可能である。押さえリング５は、半径方向に伸縮可能なＣリングであり、拡径方向の弾力によりグリップ筐体の拡径部７に係合している。図１（ｂ）に示すように、押さえリング５は、これを半径方向に伸縮させるための器具であるＣリングプライヤー用の孔５１が２箇所に形成されている。弾性リング４はピンセット等により弾性変形されて拡径部７へと係合され、押さえリング５はＣリングプライヤー等により縮径方向に変形されて拡径部７へと挿入後、変形を解かれることで拡径方向に変形し、拡径部７に係合される。
【００３０】
なお、グリップ筐体２からプラグアセンブリ３を取り出すときは、まず、押さえリング５がＣリングプライヤー等により縮径方向に変形されて拡径部７から取り外され、グリップ筐体の外に取り出される。次に、弾性リング４はピンセット等により弾性変形されて拡径部７から取り外され、グリップ筐体２の外に取り出される。弾性リング４と押さえリング５が取り外されたことでプラグアセンブリ３の固定が解除されるため、グリップ筐体２の他端側の開口部６１からグリップ筐体２外へとプラグアセンブリ３を取り出すことができる。
【００３１】
なお、本実施例においては押さえリング５としてＣリングが用いられているが、本発明においてはこれに限らず、半径方向に伸縮可能で拡径方向の弾力によりグリップ筐体の拡径部７に係合できるものであれば、種々の部材を用いることができる。例えば、押さえリング５として、図５に示すように、波打ち状に折り曲げた線ばねがリング状に形成されたものを用いてもよい。
【００３２】
上述した単一指向性ダイナミックマイクロホン１に外部機器と接続するためのコードプラグ３００が接続されるときの様子を図３および図４を用いて説明する。コードプラグ３００は３ピンタイプのコネクタに対応したもので、その先端側には、プラグアセンブリ３の３つのピン３６が挿入されるための３つの孔（不図示）が設けられている。このコードプラグ３００がグリップ筐体２の他端側の開口部６０から挿入されると、コードプラグ３００の先端部分により弾性リング４が押しつぶされ弾性変形する。そして、弾性変形した弾性リング４によりプラグアセンブリ３とグリップ筐体２の内壁との間が密閉され、グリップ筐体２内の気密状態が確立し、グリップ筐体２内部全体が密閉された空気室となる。
【００３３】
また、コードプラグ３００はグリップ筐体２の開口部６０に挿入されると、コードプラグ３００の先端付近に形成された係止爪３０１が、グリップ筐体２の開口部６０近傍に設けられた係止凹部６１に係止する。これにより、コードプラグ３００がグリップ筐体２内部に挿入された状態で固定される。
【００３４】
このように、コードプラグ３００がグリップ筐体２内に挿入され固定されると、プラグアセンブリ３とグリップ筐体２の内壁との間が弾性リング４により密閉される。そして、グリップ筐体２内の気密状態が確立するとともに、弾性リング４の弾性力によりコードプラグ３００が係止爪３０１を介してグリップ筐体２の内壁に押圧固定されるため、コードプラグ３００のガタつきを防止することができる。
【００３５】
上述したように、本発明に係る単一指向性ダイナミックマイクロホンによると、ダイナミックマイクロホンを組み立てたときにはグリップ筐体内部全体を空気室とすることができ、良好な気密状態を保つことができるとともに、プラグアセンブリをグリップ筐体の後端側から取り出すことができ、交換修理時の作業性を良好なものとすることができる。
【符号の説明】
【００３６】
１  ダイナミックマイクロホンユニット
２  グリップ筐体
３  プラグアセンブリ
３６  ピン
３７  シールド板
４  弾性リング
５  押さえリング
６  嵌合部
７  拡径部
８  段部
９  溝
１０  グリップ筐体
１１  連結リング
１２  ショックマウント部材
１３  押さえリング
１４  コネクタ収納部
１５  封止材
２０  マイクロホンユニット
２０ａ  前方音響端子
２０ｂ  後方音響端子
３０  プラグアセンブリ
３１  基台
３２  ２番ピン
３３  ３番ピン
３４  雄ねじ
３５  接地用端子板
３６  ピン
３７  シールド板
３８  基台
５１  孔
６０  開口部
６１  係止凹部
１００  グリップ筐体
２００  キャビティスリーブ
３００  コードプラグ
３０１  係止爪
【図１】
0005545880.tif 000002
【図２】
0005545880.tif 000003
【図３】
0005545880.tif 000004
【図４】
0005545880.tif 000005
【図５】
0005545880.tif 000006
【図６】
0005545880.tif 000007
【図７】
0005545880.tif 000008